【手続補正書】
【提出日】平成23年2月14日(2011.2.14)
【手続補正１】
【補正対象書類名】特許請求の範囲
【補正対象項目名】全文
【補正方法】変更
【補正の内容】
【特許請求の範囲】
【請求項１】
シート状パッキング材料を一群のシガレットのまわりに巻きつける方法であって、
前記シート状パッキング材料（22）が長方形の形状であり、向かい合った平行な2つの長辺と、向かい合った平行な2つの短辺とを有し、再利用可能なカバー・フラップ（5）によって閉じられ且つ1つの短辺の近くに配置された取り出し用開口部（4）を備えており；
前記一群のシガレット（23）が実質的に平行六面体の形状であり、2つの広い側面（24）と、2つの狭い側面（25）と、2つの端面（26）とを有し；4本の縦稜線（27）が、前記2つの広い側面（24）と前記2つの狭い側面（25）との間に形成され；4本の長い横稜線（28）が、前記2つの広い側面（24）と前記2つの端面（26）との間に形成され；4本の短い横稜線（29）が、前記2つの狭い側面（25）と前記2つの端面（26）との間に形成されており、
前記一群のシガレット（23）の前記長い横稜線（28）が前記シート状パッキング材料（22）の短辺と平行になるとともに、前記一群のシガレット（23）の前記短い横稜線（29）が前記シート状パッキング材料（22）の長辺と平行になるようにして前記一群のシガレット（23）の第1の端面（26a）を平坦な前記シート状パッキング材料（22）と接触させるステップと；
前記シート状パッキング材料（22）を前記第1の端面（26a）の前記長い横稜線（28）に沿って折り曲げてU字にすることで、前記シート状パッキング材料（22）で前記広い側面（24）を両方とも完全に覆うステップと；
前記シート状パッキング材料（22）を前記一群のシガレット（23）の第2の端面（26b）の上に折り曲げるステップと；
前記シート状パッキング材料（22）を前記一群のシガレット（23）の前記狭い側面（25）の上に折り曲げるステップとを含んでいる方法において；
前記一群のシガレット（23）の第1の端面（26a）が、前記シート状パッキング材料（22）の短辺のうちで取り出し用開口部（4）とは反対側にある前記短辺により近くなり、前記シート状パッキング材料（22）の前記短辺のうちで前記取り出し用開口部（4）に近い前記短辺からはより遠くなるように、前記一群のシガレット（23）の第1の端面（26a）を前記シート状パッキング材料（22）に対して非対称に配置するステップをさらに含むことを特徴とする方法。
【請求項２】
U字に折り曲げられた前記シート状パッキング材料（22）が、前記一群のシガレット（23）の前記第2の端面（26b）から突出した第1の部分（30）と第2の部分（31）とを有し；前記第1の部分（30）は前記第2の部分（31）よりも小さく、前記取り出し用開口部（4）とは反対側に配置され；前記第2の部分（31）は前記第1の部分（30）よりも大きく、前記取り出し用開口部（4）の一部を含んでおり；
一方の長い横稜線（28）に沿って前記第1の部分（30）を前記第2の端面（26b）の上に折り曲げるステップと；
他方の長い横稜線（28）に沿って前記第2の部分（31）を前記第2の端面（26b）の上に折り曲げるステップとをさらに含む、請求項1に記載の方法。
【請求項３】
前記一群のシガレット（23）の前記第1の端面（26a）を、前記第2の部分（31）が前記第2の端面（26b）と同じサイズになるように前記シート状パッキング材料（22）に対して配置することで、前記第2の部分（31）の上辺を前記第2の端面（26b）の長い横稜線（28）と重ねる、請求項2に記載の方法。
【請求項４】
前記第1の部分（30）が、前記第2の部分（31）に形成された前記取り出し用開口部（4）の部分と重ならないようなサイズになるように、前記一群のシガレット（23）の前記第1の端面（26a）を前記シート状パッキング材料（22）に対して配置する、請求項2または3に記載の方法。
【請求項５】
前記シート状パッキング材料（22）を前記一群のシガレット（23）の狭い側面（25）の上に折り曲げる前記ステップが、
前記短い横稜線（29）に沿って前記シート状パッキング材料（22）を前記狭い側面（25）の上に折り曲げるステップと；
次いで、前記縦稜線（27）に沿って前記シート状パッキング材料（22）を前記狭い側面（25）の上に折り曲げるステップとをさらに含む、請求項2〜4のいずれか1項に記載の方法。
【請求項６】
前記第2の端面（26b）と前記狭い側面（25）の上で重なった部分を接続することにより、前記一群のシガレット（23）のまわりに巻きつけられた前記シート状パッキング材料（22）を安定化させるステップをさらに含む、請求項1〜5のいずれか1項に記載の方法。
【請求項７】
2つの広い側面（24）と、2つの狭い側面（25）と、2つの端面（26）とを有し；4本の縦稜線（27）が、前記2つの広い側面（24）と前記2つの狭い側面（25）との間に形成され；4本の長い横稜線（28）が、前記2つの広い側面（24）と前記2つの端面（26）との間に形成され；4本の短い横稜線 （29）が、前記2つの狭い側面（25）と前記2つの端面（26）との間に形成されている、実質的に平行六面体の形状である一群のシガレット（23）と；
長方形の形状であり、向かい合った平行な2つの長辺と、向かい合った平行な2つの短辺とを有し、再利用可能なカバー・フラップ（5）によって閉じられる取り出し用開口部（4）を備えていて、前記一群のシガレット（23）のまわりに巻きつけられるシート状パッキング材料（22）と
を含むシガレット・パッケージであって、
前記取り出し用開口部（4）が、前記シート状パッキング材料（22）の1つの短辺の近くに配置されており；
前記一群のシガレット（23）の第1の端面（26a）が、前記シート状パッキング材料（22）の前記短辺のうちで前記取り出し用開口部（4）とは反対側にある前記短辺により近くなり、前記シート状パッキング材料（22）の前記短辺のうちで前記取り出し用開口部（4）に近い前記短辺からはより遠くなるように、前記一群のシガレット（23）の第1の端面（26a）が前記シート状パッキング材料（22）に対して非対称に配置されることを特徴とするシガレット・パッケージ。
【請求項８】
前記シート状パッキング材料（22）が、前記一群のシガレット（23）の第2の端面（26b）の上に折り曲げられる第1の部分（30）と第2の部分（31）を備えており；前記第1の部分（30）は前記第2の部分（31）よりも小さくて、前記取り出し用開口部（4）とは反対側に配置され；前記第2の部分（31）は前記第1の部分（30）よりも大きくて、前記取り出し用開口部（4）の一部を含んでいる、請求項7に記載のシガレット・パッケージ。
【請求項９】
前記一群のシガレット（23）の前記第1の端面（26a）を、前記第2の部分（31）が前記第2の端面（26b）と同じサイズになるように前記シート状パッキング材料（22）に対して配置することで、前記第2の部分（31）の上辺が前記第2の端面（26b）の長い横稜線（28）に重ねられる、請求項8に記載のシガレット・パッケージ。
【請求項１０】
前記第1の部分（30）が、前記第2の部分（31）に形成された前記取り出し用開口部（4）の部分と重ならないようなサイズになるように、前記一群のシガレット（23）の前記第1の端面（26a）が前記シート状パッキング材料（22）に対して配置される、請求項8または9に記載のシガレット・パッケージ。
【請求項１１】
前記取り出し用開口部（4）と前記カバー・フラップ（5）が、前記パッケージ（3）の前面の一部と、前記パッケージ（3）の頂面の一部とにあり；前記カバー・フラップ（5）は、前記カバー・フラップ（5）を把持して持ち上げるための把持タブ（21）を備えており；前記カバー・フラップ（5）は、把持タブ（21）と共に前記パッケージ（3）の前面上に位置しているため、前記カバー・フラップ（5）は上方に向かって開き、前記カバー・フラップ（5）の頂部が前記パッケージ（3）の頂面と接触したままとなる、請求項7〜10のいずれか1項に記載のシガレット・パッケージ。
【請求項１２】
前記取り出し用開口部（4）と前記カバー・フラップ（5）が、前記パッケージ（3）の前面の一部と、前記パッケージ（3）の頂面の一部とにあり；前記カバー・フラップ（5）は、前記カバー・フラップ（5）を把持して持ち上げるための把持タブ（21）を備えており；前記カバー・フラップ（5）は、把持タブ（21）と共に、前記パッケージ（3）の頂面上に位置しているため、前記カバー・フラップ（5）は下方に向かって開き、前記カバー・フラップ（5）の下部が前記パッケージ（3）の前面と接触したままとなる、請求項7〜10のいずれか1項に記載のシガレット・パッケージ。
【請求項１３】
前記把持タブ（21）が、前記パッケージ（3）の後面に向かって前記パッケージ（3）の頂面から少なくとも部分的に突出している、請求項12に記載のシガレット・パッケージ。
【請求項１４】
長方形の形状であり、向かい合った平行な2つの長辺と、向かい合った平行な2つの短辺とを有し、再利用可能なカバー・フラップ（5）によって閉じられる取り出し用開口部（4）を備える、シガレット・パッケージ（3）を形成するためのシート状パッキング材料であって、；
前記取り出し用開口部（4）が、前記シート状パッキング材料（22）の1つの短辺の近くに配置されることを特徴とするシート状パッキング材料。
【請求項１５】
前記カバー・フラップ（5）の上辺が、前記シート状パッキング材料（22）の端から3〜10mmに配置される、請求項14に記載のシート状パッキング材料。
【請求項１６】
前記カバー・フラップ（5）の上辺が、前記シート状パッキング材料（22）の端から約5mmに配置される、請求項14に記載のシート状パッキング材料。
【請求項１７】
前記取り出し用開口部（4）が、前記シート状パッキング材料（22）の端から8〜15mmに配置される、請求項14〜16のいずれか1項に記載のシート状パッキング材料。
【請求項１８】
前記取り出し用開口部（4）が、前記シート状パッキング材料（22）の端から約10mmに配置される、請求項17に記載のシート状パッキング材料。
【請求項１９】
前記カバー・フラップ（5）が、前記シート状パッキング材料（22）の前記短辺のうちで前記取り出し用開口部（4）の近くに配置される前記短辺とは反対側に把持タブ（21）を有する、請求項14〜18のいずれか1項に記載のシート状パッキング材料。
【請求項２０】
前記カバー・フラップ（5）が、前記シート状パッキング材料（22）の前記短辺のうちで前記取り出し用開口部（4）の近くに配置される前記短辺と同じ側に把持タブ（21）を有する、請求項14〜18のいずれか1項に記載のシート状パッケージ材料。
【請求項２１】
前記把持タブ（21）が、前記シート状パッキング材料（22）の前記短辺のうちで前記取り出し用開口部（4）の近くに配置される前記短辺から少なくとも部分的に突出している、請求項20に記載のシート状パッケージ材料。
【請求項２２】
2つの広い側面（24）と、2つの狭い側面（25）と、2つの端面（26）とを有し；4本の縦稜線（27）が、前記2つの広い側面（24）と前記2つの狭い側面（25）との間に形成され；4本の長い横稜線（28）が、前記2つの広い側面（24）と前記2つの端面（26）との間に形成され；4本の短い横稜線（29）が、前記2つの狭い側面（25）と前記2つの端面（26）との間に形成されている、実質的に平行六面体の形状である一群のシガレット（23）と；
長方形の形状であり、向かい合った平行な2つの長辺と、向かい合った平行な2つの短辺とを有し、把持タブ（21）を有する再利用可能なカバー・フラップ（5）によって閉じられる取り出し用開口部（4）を備え、前記カバー・フラップ（5）が前記把持タブ（21）によって把持されて持ち上げられる、前記一群のシガレット（23）のまわりに巻きつけられるシート状パッキング材料（22）と
を有しているシガレット・パッケージにおいて；
前記取り出し用開口部（4）と前記カバー・フラップ（5）は、前記パッケージ（3）の前面の一部と、前記パッケージ（3）の頂面の一部とにあり、
このシガレット・パッケージ（3）は、前記カバー・フラップ（5）が把持タブ（21）と共に前記パッケージ（3）の頂面上に配置されているため、前記カバー・フラップ（5）が下方に向かって開き、前記カバー・フラップ（5）の下部が前記パッケージ（3）の前面と接触したままとなることを特徴とするシガレット・パッケージ。
【請求項２３】
前記把持タブ（21）が、前記パッケージ（3）の後面に向かって前記パッケージ（3）の頂面から少なくとも部分的に突出している、請求項22に記載のシガレット・パッケージ。